(57)【要約】  ヒト（３）の頭髪（２）用熱処理装置（１）であって、第１の放熱器（１１）及び第２の放熱器（１２）を１つずつ備えており、前記第１の放熱器（１１）及び前記第２の放熱器（１２）は、左側ラジエータ（４）及び右側ラジエータ（５）として頭髪側面（７）に熱（６）をもたらすために、互いに向かい合う構成及び配置になっており、前記左側ラジエータ（４）は、第１の外殻リング型反射器（２２）を１つ備えた第１のリング型赤外線ラジエータ（２１）を１つ有し、前記右側ラジエータ（５）は、第２の外殻リング型反射器（２２．１）を１つ備えた第２のリング型赤外線ラジエータ（２１．１）を１つ有し、残りの頭髪の熱処理のために第３の放熱器（１３）が少なくとも１つ設けられており、前記頭髪（２）の制限のない処置及び観察と熱処理中のヒト（３）に対する幅広い視覚的自由度とを提供するために、全ての放熱器（１１、１２、１３）がいわゆる開放型デザインで配置された装置において、この種の前記第１の外殻リング型反射器（２２）が、第１赤外線スクリーン（３１）を少なくとも１つ有すると共に、前記第２の外殻リング型反射器（２２．１）が、対称的な鏡像として放射側上に配置された第２の赤外線スクリーン（３２）を少なくとも１つ有することと、平均的な生え際の輪郭（３６）領域内の放射強度（３５）が、前記ヒト（３）の顔面（３７）の方向へ向かって緩やかに減少すること（図４）を特徴とする装置。
2008531106.tif 000002
【特許請求の範囲】
【請求項１】
ヒト（３）の頭髪（２）用熱処理装置（１）であって、第１の放熱器（１１）及び第２の放熱器（１２）を１つずつ備えており、前記第１の放熱器（１１）及び前記第２の放熱器（１２）は、左側ラジエータ（４）及び右側ラジエータ（５）として頭髪側面（７）に熱（６）をもたらすために、互いに向かい合う構成及び配置になっており、前記左側ラジエータ（４）は、第１の外殻リング型反射器（２２）を１つ備えた第１のリング型赤外線ラジエータ（２１）を１つ有し、前記右側ラジエータ（５）は、第２の外殻リング型反射器（２２．１）を１つ備えた第２のリング型赤外線ラジエータ（２１．１）を１つ有し、残りの頭髪の熱処理のために第３の放熱器（１３）が少なくとも１つ設けられており、前記頭髪（２）の制限のない処置及び観察と熱処理中の前記ヒト（３）に対する幅広い視覚的自由度とを提供するために、全ての前記放熱器（１１、１２、１３）がいわゆる開放型デザインで配置された装置において、
この種の前記第１の外殻リング型反射器（２２）が第１赤外線スクリーン（３１）を少なくとも１つ有すると共に、前記第２の外殻リング型反射器（２２．１）が対称的な鏡像として放射側上に配置された第２の赤外線スクリーン（３２）を少なくとも１つ有することと、
平均的な生え際の輪郭（３６）領域内の放射強度（３５）が、前記ヒト（３）の顔面（３７）の方向へ向かって緩やかに減少することと
を特徴とする装置。
【請求項２】
前記左側ラジエータ（４）の前記第１の赤外線スクリーン（３１）は、垂直線（Ｓ）から時計方向に約２０度（α１）から始まり約５５度（α２）まで続く右上側４０度の角度要素を有し、
前記第１の外殻リング型反射器（２２）は、第３赤外線スクリーン（３３）を１つ有し、
前記左側ラジエータ（４）の前記第３赤外線スクリーン（３３）は、垂直線（Ｓ）から時計方向に約１７５度（β１）から始まり約２０５度（β２）まで続く左下側３０度の角度部分を有し、
前記右側ラジエータ（５）は、前記第２の赤外線スクリーン（３２）及び第４の赤外線スクリーン（３４）とともに、対称的な鏡像として、前記左側ラジエータ（４）に取り付けられている、請求項１に記載の装置。
【請求項３】
前記第１の赤外線スクリーン（３１）又は前記第２の赤外線スクリーン（３２）は、前記第１の外殻リング型反射器（２２）又は前記第２の外殻リング型反射器（２２．１）の内側縁部（８）から、ほぼ前記第１のリング型赤外線ラジエータ（２１）又は前記第２のリング型赤外線ラジエータ（２１．１）まで延びる幅（Ｅ）を有する、請求項１に記載の装置。
【請求項４】
第３の赤外線スクリーン（３３）又は第４の赤外線スクリーン（３４）は、前記第１の外殻リング型反射器（２２）又は前記第２の外殻リング型反射器（２２．１）の内側縁部（８）から、ほぼ前記第１のリング型赤外線ラジエータ（２１）又は前記第２のリング型赤外線ラジエータ（２１．１）と前記第１の外殻リング型反射器（２２）又は前記第２の外殻リング型反射器（２２．１）の外側縁部（９）との間まで延びる幅（Ｆ）を有する、請求項１に記載の装置。
【請求項５】
各放熱器（１１〜１５）は、ラウンドポット（２０）のデザインを有しており、好ましくは約２５０ｍｍ（９．８ｉｎ）の直径（Ｄ）を有する、請求項１に記載の装置。
【請求項６】
各放熱器（１１〜１５）は、ファン（２３）を有する、請求項１に記載の装置。
【請求項７】
前記左側ラジエータ（４）及び前記右側ラジエータ（５）は、２つの赤外線ラジエータ半円部（２４、２５）を有し、
前記赤外線ラジエータ半円部（２４、２５）の１つの半円軸（Ｂ）は、対称的な鏡像として、水平線（Ｗ）に対して約２５度の角度（γ）で回転し、
任意に、前記赤外線ラジエータ半円部（２４、２５）は、互いに独立して電気エネルギーで調節できるようになっており、
任意に、上方の前記赤外線ラジエータ半円部（２４）を１２５ワットの約７０％で作動させ、下方の前記赤外線ラジエータ半円部（２５）を１２５ワットの約３０％で作動させる、請求項１に記載の装置。
【発明の詳細な説明】
【技術分野】
【０００１】
本発明は、請求項１の一般名称に従う、ヒトの頭髪の熱処理装置に関するものである。
【背景技術】
【０００２】
このようなタイプの熱を利用して頭髪を処理するための装置は、例えば、ＥＰ０３７２４４３Ａ２号、ＥＰ０１５６９８４Ａ１号、ＥＰ００７２９９４Ａ１号、及びＥＰ０１０５７８５Ａ号により周知なもののように、いわゆる一般的デザインによる非常に多様な実施形態があることで知られており、ヘアサロンで使用されている。
【０００３】
ＵＳ−Ｄ４７７，１１１−Ｓ号による装置では、いわゆるラジエータポットが５つ使われている。このラジエータポットには、赤外線を発生させるための石英チューブが備わっており、またアルミニウム製の反射器が備わっている。ラジエータポット間の位置修正とともに、これらの特色によって、染色、パーマネントウェーブ、及びコンディショニングトリートメントに必要な熱分配を確保する。顧客が可能な限り自由に動くことができ、熱処理装置下で開放感が得られるように、サイドアーム内の両ラジエータポット間の間隔は約４５７ｍｍ（１８ｉｎ）になっている。更に、ネック領域にポットを１つ、顧客の後頭部の上方に背面上方のポットを１つ、及び顧客の前頭部上方に前面上方のポットを１つ有する。
【０００４】
これらの装置の短所は、処置を受けているヒトの顔面の少なくとも一部分に、熱放射による望ましくない影響を与えること、及び／又は、製品を加熱することに加え、処置を受けている人の顔面の大部分も熱せられることであると思われる。
【発明の開示】
【発明が解決しようとする課題】
【０００５】
従って、本発明の目的はこの短所がない概ね同等の装置を得ること、及び／又は、本発明の目的は、顧客の頭髪及び毛髪上の製品を可能な限り均一に加熱し、同時に顔面領域への熱放射が回避されるサロン用の専門的熱処理装置を得ることである。
【課題を解決するための手段】
【０００６】
その際、以下の一般的な技術的条件が必要になる。
１．熱処理装置は、１つ以上のラジエータ部品で構成させる。
２．ラジエータ部品は、実質的に１つ以上の石英ガラス性ラジエータチューブ、及び１つの反射器から構成させる。
３．頭部の右側及び左側に位置するラジエータ部品は、コスト的な理由により同一のものとし、逆向きの鏡像として取り付ける。従って、対称的な鏡像として設計しなくてはならない。
４．最適化パラメータとなる可能性があるのは、ラジエータ部品の形状、その配置、及びその性能である。
【０００７】
これらの一般条件によって、ある放射分布を最適化するための選択肢が大きく制限される。４項目のパラメータに記載したような完全な最適化では、満足する結果には至らない。これは、代表的な放射部品の放射挙動が、原理的には拡散しすぎて満足する輪郭を形成できないという事実による。このため、望ましい方法における放射分布に対して影響を及ぼす、更なる対策が必要である。
【０００８】
この課題は、平均的な生え際の輪郭領域内の放射強度が、顔面方向へ向かって緩やかに減少することができる、請求項１に示した部分の特色により解決する。技術的理由との関連で、輪郭領域内における急激な移行により、処置を受けているヒトの動きの自由度はかなり大幅に制限されるであろう。請求項１に記載した本発明の更に有益な利点は、下位クレームに起因している。
【０００９】
実施形態例を用いて本発明を更に詳細に説明する。
【００１０】
図１には、第１のリング型赤外線ラジエータ（２１）を１つ備えた第１の外殻リング型デフレクター（２２）を１つ備えた左側ラジエータ（４）を一望可能な状態で、装置１の透視側面図を示す。第１の外殻リング型反射器（２２）には、第１の赤外線スクリーン（３１）を１つ、第３のスクリーン（３３）を１つ有する。左側ラジエータ（４）及び右側ラジエータ、（５）は、支持アーム（１０）が支えている。
【００１１】
図２には、放射側上に第１の赤外線スクリーン（３１）を１つ、第３のスクリーン（３３）を１つ備えた第１のリング型赤外線ラジエータ（２１）を１つ備えた単一の左側外殻リング型反射器（２２）の平面図が記載されている。
【００１２】
図３には、図２のＩＩ−ＩＩで切断した外殻リング型反射器（２２）を示す。
【００１３】
図４には、右側ラジエータ（５）を一望可能な状態で、図１による装置１の反対側透視側面図を示す。
【００１４】
図５には、図４による右側外殻リング型反射器（５）の透視詳細表現図を示す。第２赤外線スクリーン（３２）（又は第１赤外線スクリーン（３１））及び第４赤外線スクリーン（３４）（又は第３赤外線スクリーン（３３））のを搭載するために、前記スクリーンの各々は、橋部（１８）を介して、クランプ（１９）を使用して、内側縁部（８）及び第２外殻リング型反射器（２２．１）（又は第１外殻リング型反射器（２２）の外側縁部（９）に接続している。
【００１５】
図６には、ヒト（３）とともに装置１の側面図を示してあり、平均的な生え際の輪郭（３６）（点線）（図６、９）領域内の放射強度（３５）（図８）は、ヒト（３）の顔面（３７）方向へ向かって緩やかに減少している。各放熱器（１１〜１５）（図６、８）は、カバー（３８）を利用して接触を防いでいる。
【００１６】
図７には、図６による図を示すが、よりわかりやすくするために、左側ラジエータ（４）及びアーム（１０）を取り除き、ヒト（３）を図示しない。
【００１７】
図８には、図６による装置１の正面図を示す。
【００１８】
これらの図には、ヒト（３）（図６、８）の頭髪（２）の熱処理装置１を示してあり、前記装置は、頭髪側面（７）へ熱（６）をもたらす左側ラジエータ（４）及び右側ラジエータ５（が）互いに向かい合うように形成及び配置された第１放熱器（１１）及び第２放熱器（１２）の各１つから構成されている（図８）。左側ラジエータ（４）には、第１の外殻リング型反射器（２２）を１つ備えた第１のリング型赤外線ラジエータ（２１）を１つ有し、右側ラジエータ（５）には、第２リング型赤外線ラジエータ（２２．１）を１つ有し、残りの頭髪の熱処理のために、第３放熱器（１３）が少なくとも１つ配置されている（図８）。全放熱器（１１、１２、１３）は、頭髪（２）の制限のない処置及び観察と、熱処理中の前記ヒト（３）に対する幅広い視覚的自由度とを提供するために、いわゆる開放型デザインで配置されている。従って、第１の外殻リング型反射器（２２）には、第１の赤外線スクリーン（３１）（図１）を少なくとも１つ有し、第２の外殻リング型反射器（２２．１）には、第２の赤外線スクリーン（３２）（図４）を少なくとも１つ有し、第２の赤外線スクリーン（３２）（図４）は、平均的な生え際の輪郭（３６）（点線）（図６、９）領域内の放射強度（３５）（図８）が、前記ヒト（３）の顔面（３７）の方向へ向かって緩やかに減少するように、対称的な鏡像として放射側上に配置されている。
【００１９】
左側ラジエータ（４）の第１の赤外線スクリーン（３１）は、垂直線Ｓから時計回りに、約２０度（α１）から始まり約５５度（α２）まで続く（図２）右上側４０度の角度要素を有し、右側ラジエータ（５）の第２赤外線スクリーン（３２）は、対称的な鏡像で配置されている（図４）。
【００２０】
第１の外殻リング型反射器（２２）（図２）は第３の赤外線スクリーン（３３）を１つ有し、第２の外殻リング型反射器（２２．１）（図５）は、対称的な鏡像として放射側上に配置されている第４赤外線スクリーン（３４）を有する。
【００２１】
左側ラジエータ（４）の第３の赤外線スクリーン（３３）は、垂直線Ｓから時計方向に、約１７５度（β１）から始まり約２０５度（β２）まで続く（図２）左側３０度角度部分を有する。
【００２２】
第１赤外線スクリーン（３１）又は第２の赤外線スクリーン（３２）は、第１外殻リング型反射器（２２）又は第２の外殻リング型反射器（２２．１）の内側縁部（８）から、ほぼ第１リング型赤外線ラジエータ（２１）又は第２リング型赤外線ラジエータ（２１．１）まで延びる幅（Ｅ）を有する（図２）。
【００２３】
第３赤外線スクリーン（３３）又は第４赤外線スクリーン（３４）は、第１外殻リング型反射器（２２）又は第２外殻リング型反射器（２２．１）の内側縁部（８）から、ほぼ第１リング型赤外線ラジエータ（２１）又は第２リング型赤外線ラジエータ（２１．１）と第１外殻リング型反射器（２２）又は第２外殻リング型反射器（２２．１）の外側縁部（９）の間まで延びる幅（Ｆ）を有する（図２）。
【００２４】
各放熱器（１１〜１５）はラウンドポット（２０）のデザインを有し、前記ラウンドポット（２０）の直径（Ｄ）（図４、８）は、約２５０ｍｍ（９．８ｉｎ）である。
【００２５】
各放熱器（１１〜１５）にはファン（２３）を有する。
【００２６】
左側ラジエータ（４）及び右側ラジエータ（５）は、２つの赤外線ラジエータ半円部（２４、２５）を有し、赤外線ラジエータ半円部（２４、２５）の半円軸（Ｂ）は、対称的な鏡像として、水平線（Ｗ）に対して約２５度の角度（γ）で回転する（図２）。
【００２７】
赤外線ラジエータ半円部（２４、２５）は互いに独立して電気エネルギーで調節でき、装置１の通常動作において、電気的接続部（１６、１７）により上方の赤外線ラジエータ半円部（２４）を１２５ワットの約７０％で作動させ、下方の赤外線ラジエータ半円部（２５）を１２５ワットの約３０％で作動させ、それにより、処置を受けているヒト（３）の顔面（３７）方向中の生え際領域において、より弱い赤外線密度で放射が緩やかに減少する（図９）よう維持させる。
【００２８】
本発明の効果
１．設計手法のおかげで、製品による影響を受ける領域（頭髪２）に対して、処置を受けているヒト（３）の顔面領域（３７）における放射強度（３５）が極めて低下する（図９）。
２．外殻リング型反射器（２２、２２．１）の特殊な形状により、赤外線ラジエータ（２１、２１．１）の力でラジエータ（１１〜１５）の所要放射分布を得られる。
３．各外殻リング型反射器（２２、２２．１）前方の少なくとも１つのスクリーン（３１、３２）により、左右両側のラジエータ（４、５）での緩やかな放射減少を得られる。
４．処置を受けているヒト（３）の顔面（３７）の方向に向かって、生え際領域における放射強度（３５）の低下が緩やかに起こる（図９）。
５．異なる赤外線密度で作動する２つの赤外線ラジエータ（２１、２１．１）が、各側面ラジエータ（４、５）に装備されており、処置を受けているヒト（３）の顔面（３７）方向に向かって、生え際領域におけるより弱い赤外線密度の放射が緩やかに減少する（図９）ことが維持される。
【００２９】
【表１】
2008531106.tif 000003
【００３０】
以下について図示する。
【図面の簡単な説明】
【００３１】
【図１】左側の側面ラジエータを一望可能な状態で、装置の透視側面図。
【図２】リング型赤外線ラジエータを１つ、並びに第１及び第３の赤外線スクリーンを１つずつ備えた、左側ラジエータの左側外殻リング型反射器の平面図。
【図３】図２のＩＩ−ＩＩで切断した外殻リング型反射器。
【図４】右側ラジエータの図を一望可能な状態で、図１による装置の反対側透視側面図。
【図５】図４による右側外殻リング型反射器の透視詳細表現図。
【図６】ヒトとともに、前記装置の側面図。
【図７】図６による図を示すが、左側ラジエータ及びアームを取り除き、ヒト（３）は記載していない。
【図８】図６による装置の正面図。
【図９】頭部と放射分布の側面図。
【図１】
2008531106.tif 000004
【図２】
2008531106.tif 000005
【図３】
2008531106.tif 000006
【図４】
2008531106.tif 000007
【図５】
2008531106.tif 000008
【図６】
2008531106.tif 000009
【図７】
2008531106.tif 000010
【図８】
2008531106.tif 000011
【図９】
2008531106.tif 000012
【国際調査報告】
2008531106.tif 000013
2008531106.tif 000014